(57)【要約】【課題】２室暖房システムにおいて、ヒートショックを抑制しつつ、快適性をより向上させること。【解決手段】本発明に係る２室暖房システムは、浴室に設けられ、浴室を暖める浴室暖房機器と、洗面所に設けられ、洗面所を暖める洗面所暖房機器と、浴室暖房機器と洗面所暖房機器の動作を制御する制御部と、浴室温度を検出する浴室温度検出手段と、洗面所温度を検出する洗面所温度検出手段と、を備え、制御部は、浴室温度検出手段または洗面所温度検出手段によって検出された一方の部屋の温度に基づいて、他方の部屋に設けられる浴室暖房機器または洗面所暖房機器を制御する。【選択図】図６
2018169100.tif 000002
【特許請求の範囲】
【請求項１】
浴室及び浴室に隣接する洗面所を連動して暖める２室暖房システムであって、
前記浴室に設けられ、前記浴室を暖める浴室暖房機器と、
前記洗面所に設けられ、前記洗面所を暖める洗面所暖房機器と、
前記浴室暖房機器と前記洗面所暖房機器の動作を制御する制御部と、
浴室温度を検出する浴室温度検出手段と、
洗面所温度を検出する洗面所温度検出手段と、を備え、
前記制御部は、前記浴室温度検出手段または前記洗面所温度検出手段によって検出された一方の部屋の温度に基づいて、他方の部屋に設けられる前記浴室暖房機器または前記洗面所暖房機器を制御することを特徴とする２室暖房システム。
【請求項２】
前記制御部は、前記浴室または前記洗面所の一方の部屋の温度を、他方の部屋に設けられる前記浴室暖房機器または前記洗面所暖房機器の目標温度として、前記浴室暖房機器または前記洗面所暖房機器を制御することを特徴とする
請求項１に記載の２室暖房システム。
【請求項３】
前記制御部は、前記浴室暖房機器及び前記洗面所暖房機器の暖房能力を判定し、暖房能力が低いと判定された前記浴室暖房機器または前記洗面所暖房機器が設けられた一方の部屋の温度を、他方の部屋に設けられた前記浴室暖房機器または前記洗面所暖房機器の目標温度とすることを特徴とする
請求項２に記載の２室暖房システム。
【請求項４】
前記制御部は、前記浴室暖房機器及び前記洗面所暖房機器の暖房運転開始から所定時間の運転における温度上昇勾配に基づいて前記浴室暖房機器及び前記洗面所暖房機器の暖房能力を判定することを特徴とする
請求項３に記載の２室暖房システム。
【請求項５】
前記制御部は、前記浴室暖房機器及び前記洗面所暖房機器の既知情報を記憶可能な既知情報記憶部を有し、前記既知情報記憶部の情報に基づいて前記浴室暖房機器及び前記洗面所暖房機器の暖房能力を判定することを特徴とする
請求項３に記載の２室暖房システム。
【請求項６】
前記制御部は、前記浴室暖房機器及び前記洗面所暖房機器の所定回数の暖房運転のデータを記憶可能な運転データ記憶部を有し、前記運転データ記憶部の情報に基づいて前記浴室暖房機器及び前記洗面所暖房機器の暖房能力を判定することを特徴とする
請求項３に記載の２室暖房システム。
【発明の詳細な説明】
【技術分野】
【０００１】
本発明は、浴室と浴室に隣接する洗面所を暖める２室暖房システムに関する。
【背景技術】
【０００２】
従来、冬場の入浴時に暖かい室内から寒い洗面所や浴室へ移動し、熱めのお湯に入浴する一連の動作の中で、急激な温度差が身体への悪影響を及ぼすヒートショックを防止するために洗面所や浴室の温度差を無くすことを目的に洗面所や浴室双方への暖房機器の設置が推奨されている。
【０００３】
下記特許文献１に、浴室及び洗面所に暖房機器を設置する２室暖房システムが提案されている。
【０００４】
下記特許文献１に記載された２室暖房システムは、浴室や洗面所に設けた暖房機器によって、双方を強制的に暖めてヒートショックを防止することができる。さらに、暖房開始時刻を予め設定しておくことで、毎日その設定時刻に暖房運転が開始され、使用者が毎日暖房スイッチを操作する必要が無く使い勝手を良くしたものである。
【先行技術文献】
【特許文献】
【０００５】
【特許文献１】特開２００２−２２２４０号公報
【発明の概要】
【発明が解決しようとする課題】
【０００６】
しかしながら、上述した従来の２室暖房システムにおいては、浴室に設けられた暖房機器と洗面所に設けられた暖房機器の性能の違いや、浴室と洗面所の部屋の大きさ、各部屋の断熱効果、外気の違い等によって、それぞれの部屋において暖房開始から目標温度に到達するまでの時間が異なってしまう。つまり、それぞれの部屋において暖房開始から目標温度に到達するまでに、浴室と洗面所とで温度差が発生してしまう。
このように浴室と洗面所とで温度差が発生している状態で、使用者が洗面所を通って浴室を利用しようとした場合に、浴室と洗面所との温度差によってヒートショックが発生してしまうといった懸念がある。また、洗面所や浴室の使用者が、一方の部屋が暖かいと感じて他方の部屋へ移動した際、温度差によって不快に感じてしまうといった懸念もある。
【０００７】
本発明は、上述した課題を解決するためになされたものであり、ヒートショックを抑制するとともに、快適性をより向上させた２室暖房システムを提供することを目的とする。
【課題を解決するための手段】
【０００８】
上記目的を達成するために、本発明の一態様に係る２室暖房システムによれば、浴室及び浴室に隣接する洗面所を連動して暖める２室暖房システムであって、浴室に設けられ、浴室を暖める浴室暖房機器と、洗面所に設けられ、洗面所を暖める洗面所暖房機器と、前記浴室暖房機器と前記洗面所暖房機器の動作を制御する制御部と、浴室温度を検出する浴室温度検出手段と、洗面所温度を検出する洗面所温度検出手段と、を備え、前記制御部は、前記浴室温度検出手段または前記洗面所温度検出手段によって検出された一方の部屋の温度に基づいて、他方の部屋に設けられる前記浴室暖房機器または前記洗面所暖房機器を制御することを特徴とする。
【０００９】
この構成によれば、制御部は、浴室または洗面所の一方の部屋の温度に基づいて、他方の部屋に設けられる浴室暖房機器または洗面所暖房機器を制御する、つまり、一方の部屋に設けられた機器が、他方の部屋の温度を監視しながら制御するので、暖房運転開始から目標温度に到達するまでに浴室と洗面所に温度差が発生してしまうことを抑制できる。そのため、ヒートショックを抑制しつつ、快適性をより向上させることができる。
【００１０】
また、本発明の一態様に係る２室暖房システムにおいて、好ましくは、前記制御部は、前記浴室または前記洗面所の一方の部屋の温度を、他方の部屋に設けられる前記浴室暖房機器または前記洗面所暖房機器の目標温度として、前記浴室暖房機器または前記洗面所暖房機器を制御することを特徴とする。
【００１１】
この構成によれば、制御部は、浴室または洗面所の一方の部屋の温度を、他方の部屋に設けられる機器（浴室暖房機器または洗面所暖房機器）の目標温度として、浴室暖房機器または洗面所暖房機器を制御する。そのため、暖房運転開始から目標温度に到達するまでに浴室と洗面所に度差が発生してしまうことをより確実に抑制できる。
【００１２】
また、本発明の一態様に係る２室暖房システムにおいて、好ましくは、前記制御部は、前記浴室暖房機器及び前記洗面所暖房機器の暖房能力を判定し、暖房能力が低いと判定された前記浴室暖房機器または前記洗面所暖房機器が設けられた一方の部屋の温度を、他方の部屋に設けられた前記浴室暖房機器または前記洗面所暖房機器の目標温度とすることを特徴とする。
【００１３】
この構成によれば、制御部によって暖房能力が低いと判定された機器（浴室暖房機器または洗面所暖房機器）が設けられた一方の部屋の温度を目標温度として、他方の部屋に設けられた機器（浴室暖房機器または洗面所暖房機器）を制御する。そのため、暖房運転開始から目標温度に到達するまでに浴室と洗面所の温度差が生じる時間をより短くすることができる。
仮に、暖房能力が高いと判定された機器が設けられた一方の部屋の温度を目標温度として、他方の部屋に設けられた機器を制御する場合、暖房能力が高い機器が設けられた部屋の温度上昇は比較的早いため、暖房能力が低い機器が設けられた他方の部屋の温度が、目標とする一方の部屋の温度に到達するまでに時間がかかってしまう。つまり、温度差が生じる状態が長く続いてしまう。
【００１４】
また、本発明の一態様に係る２室暖房システムにおいて、好ましくは、前記制御部は、前記浴室暖房機器及び前記洗面所暖房機器の暖房運転開始から所定時間の運転における温度上昇勾配に基づいて前記浴室暖房機器及び前記洗面所暖房機器の暖房能力を判定することを特徴とする。
【００１５】
この構成によれば、制御部は、浴室暖房機器及び洗面所暖房機器の暖房運転開始から所定時間の運転における温度上昇勾配に基づいて浴室暖房機器及び洗面所暖房機器の暖房能力を判定するので、浴室暖房機器及び洗面所暖房機器が設置された状態における暖房能力を判定することができる。つまり、設置された現場ごとに暖房能力を判定することができるため、より正確に、浴室暖房機器及び洗面所暖房機器の暖房能力を判定することができる。
【００１６】
また、本発明の一態様に係る２室暖房システムにおいて、好ましくは、前記制御部は、前記浴室暖房機器及び前記洗面所暖房機器の既知情報を記憶可能な既知情報記憶部を有し、前記既知情報記憶部の情報に基づいて前記浴室暖房機器及び前記洗面所暖房機器の暖房能力を判定することを特徴とする。
【００１７】
この構成によれば、制御部は、既知情報記憶部の情報に基づいて浴室暖房機器及び洗面所暖房機器の暖房能力を判定するため、より早く暖房能力を判定し、暖房開始の初期から浴室または洗面所の一方の部屋の温度に基づいて、他方の部屋に設けられる浴室暖房機器または洗面所暖房機器を制御することができる。そのため、浴室と洗面所に温度差が発生してしまうことをより早期の段階から抑制できる。
【００１８】
また、本発明の一態様に係る２室暖房システムにおいて、好ましくは、前記制御部は、前記浴室暖房機器及び前記洗面所暖房機器の所定回数の暖房運転のデータを記憶可能な運転データ記憶部を有し、前記判定部は、前記運転データ記憶部の情報に基づいて前記浴室暖房機器及び前記洗面所暖房機器の暖房能力を判定することを特徴とする。
【００１９】
この構成によれば、制御部は、運転データ記憶部の情報に基づいて浴室暖房機器及び洗面所暖房機器の暖房能力を判定する、つまり、浴室暖房機器及び洗面所暖房機器の所定回数の運転データに基づいて暖房能力を判定するため、より正確に、浴室暖房機器及び洗面所暖房機器の暖房能力を判定することができる。
【発明の効果】
【００２０】
本発明によれば、ヒートショックを抑制するとともに、快適性をより向上させた２室暖房システムを提供することができる。
【図面の簡単な説明】
【００２１】
【図１】本発明の一実施形態に係る２室暖房システムを浴室及び洗面所に取り付けた形態を模式的に示す図である。
【図２】本発明の一実施形態に係る２室暖房システムの要部構成を表すブロック図である。
【図３】本発明の一実施形態に係る２室暖房システムの浴室暖房機器の断面を示す断面図である。
【図４】本発明の一実施形態に係る２室暖房システムの洗面所暖房機器の断面を示す断面図である。
【図５】本発明の一実施形態に係る２室暖房システムの制御部の要部構成を表すブロック図である。
【図６】本発明の一実施形態に係る２室暖房システムの第一の動作を表すフローチャートである。
【図７】本発明の一実施形態に係る２室暖房システムの第一の動作を行ったときの浴室及び洗面所の温度推移の一例を示すグラフである。
【図８】本発明の一実施形態に係る２室暖房システムの第二の動作を表すフローチャートである。
【図９】本発明の一実施形態に係る２室暖房システムの第二の動作を行ったときの浴室及び洗面所の温度推移の一例を示すグラフである。
【図１０】本発明の一実施形態に係る２室暖房システムの第三の動作を表すフローチャートである。
【発明を実施するための形態】
【００２２】
以下、本発明の実施の形態について添付図面を参照しながら説明する。なお、各図面中、同様の構成要素には同一の符号を付して詳細な説明は適宜省略する。
【００２３】
まず、図１を参照して、本発明の一実施形態に係る２室暖房システムについて説明する。なお、以下においては、図中に示す方向を用いて説明する。
【００２４】
図１は、本発明の一実施形態に係る２室暖房システムを浴室及び洗面所に取り付けた形態を模式的に示す図である。
【００２５】
図１に示すように、２室暖房システム１は、浴室２及び浴室２に隣接する洗面所３を連動して暖める。この２室暖房システム１は、浴室２に設けられる浴室暖房機器１００と、洗面所３に設けられる洗面所暖房機器２００を備えている。
浴室暖房機器１００は、浴室２の浴室天井４に取り付けられている。浴室暖房機器１００は、浴室２内の空気を吸い込み、電気式加熱部である第一ヒータ１０４を経由させて浴室２に空気を吹き出すことができる。この第一ヒータ１０４によって、浴室暖房機器１００は浴室２を暖めることができる。
洗面所暖房機器２００は、洗面所３内の洗面所天井５に取り付けられている。洗面所暖房機器２００は、洗面所３内の空気を吸い込み、電気式加熱部である第二ヒータ２０４を経由させて洗面所３に空気を吹き出すことができる。この第二ヒータ２０４によって、洗面所３を暖めることができる。
浴室暖房機器１００及び洗面所暖房機器２００は、分電盤Ｖ内の図示しないブレーカーにそれぞれ接続されている。また、浴室暖房機器１００及び洗面所暖房機器２００は操作部８に接続され、操作部８の信号を受けて動作する。操作部８と、浴室暖房機器１００及び洗面所暖房機器２００と、の通信は、有線もしくは無線で行われる。
なお、浴室暖房機器１００または洗面所暖房機器２００は、浴室内または洗面所内の壁面に設けられるような構成であってもよい。
【００２６】
次に、図２〜図４を参照して、浴室暖房機器１００及び洗面所暖房機器２００の構成について説明する。
【００２７】
図２は、本発明の一実施形態に係る２室暖房システムの要部構成を表すブロック図である。図３は、本発明の一実施形態に係る２室暖房システムの浴室暖房機器の断面を示す断面図である。図４は、本発明の一実施形態に係る２室暖房システムの洗面所暖房機器の断面を示す断面図である。
【００２８】
図２に示すように、浴室暖房機器１００は、第一内部流路１１０と、浴室２内の温度を検出する浴室温度検出手段１０７（以下、浴室温度センサ）と、第一送風手段１０２（以下、第一ファン）と、第一ダンパ１０３と、第一ヒータ１０４と、第一排出経路１２０と、第一制御部１５０と、を備える。第一内部流路１１０は、空気を浴室暖房機器１００内に取り込む第一取込口１０１と空気を吹き出す第一吹出口１０５とを連通し、第一取込口１０１から取り込まれた空気を第一吹出口１０５へ導くことができる。第一ファン１０２は、第一取込口１０１から空気を取り込み、第一取込口１０１から取り込まれた第一内部流路１１０の空気に流れを発生させる。第一吹出口１０５は、第一吹出口１０５から空気を吹出す際の吹出し方向を可変可能な第一ルーバ１０６を備える。
【００２９】
第一ダンパ１０３は、適宜駆動することにより、第一ファン１０２から送られてきた空気を第一吹出口１０５へ送る割合と、第一排出経路１２０へ送る割合と、を変更する。第一排出経路１２０は、第一ダンパ１０３において第一内部流路１１０から分岐し、第一取込口１０１から取り込まれた第一内部流路１１０の空気の少なくとも一部を浴室２の外部へ排出することができる。浴室温度センサ１０７は、第一内部流路１１０を流れる空気の温度を検出することができる。浴室温度センサ１０７で検出した温度の情報は、第一制御部１５０へ送られる。
なお、浴室温度センサ１０７が設けられる位置は、浴室内の温度を測定可能な任意の位置に設けられ、第一ヒータ１０４よりも上流側であればよい。
【００３０】
第一制御部１５０は、操作部８と、浴室温度センサ１０７と、第一ファン１０２と、第一ダンパ１０３と、第一ヒータ１０４と、第一ルーバ１０６と、第二制御部２５０とに接続されている。この第一制御部１５０は、操作部８からの信号を受けると、第一ファン１０２と、第一ダンパ１０３と、第一ヒータ１０４と、第一ルーバ１０６の動作を制御することができる。
この第一制御部１５０と後述する第二制御部２５０が、本実施形態における制御部としての機能を果たす。なお、本実施形態は、制御部が浴室暖房機器１００と洗面所暖房機器２００のそれぞれに設けられる構成であるが、いずれか一方に設けられる構成であってもよい。また、制御部を浴室暖房機器及び洗面所暖房機器２００とは別体として設けられるような構成であってもよい。
【００３１】
洗面所暖房機器２００は、第二内部流路２１０と、洗面所３内の温度を検出する洗面所温度検出手段２０７（以下、洗面所温度センサ）と、第二送風手段２０２（以下、第二ファン）と、第二ダンパ２０３と、第二ヒータ２０４と、第二排出経路２２０と、第二制御部２５０と、を備える。第二内部流路２１０は、空気を洗面所暖房機器２００内に取り込む第二取込口２０１と空気を吹き出す第二吹出口２０５とを連通し、第二取込口２０１から取り込まれた空気を第二吹出口２０５へ導くことができる。第二ファン２０２は、第二取込口２０１から空気を取り込み、第二取込口２０１から取り込まれた第二内部流路２１０の空気に流れを発生させる。第二吹出口２０５は、第二吹出口２０５から空気を吹出す際の吹出し方向を可変可能な第二ルーバ２０６を備える。
【００３２】
第二ダンパ２０３は、適宜駆動することにより、第二ファン２０２から送られてきた空気を第二吹出口２０５へ向かう第二内部流路２１０へ送る割合と、第二排出経路２２０へ送る割合と、を変更する。第二排出経路２２０は、第二ダンパ２０３において第二内部流路２１０から分岐し、第二取込口２０１から取り込まれた第二内部流路２１０の空気の少なくとも一部を洗面所３の外部へ排出することができる。洗面所温度センサ２０７は、第二内部流路２１０を流れる空気の温度を検出することができる。洗面所温度センサ２０７で検出した温度の情報は、第二制御部２５０へ送られる。
なお、洗面所温度センサ２０７が設けられる位置は、洗面所内の温度を測定可能な任意の位置に設けられ、第二ヒータ２０４よりも上流側であればよい。また、洗面所暖房機器２００は、少なくとも暖房機能を有していればよく、第二ダンパ２０３や第二排出流路２２０を有していなくてもよい。
【００３３】
第二制御部２５０は、操作部８と、洗面所温度センサ２０７と、第一ファン２０２と、第二ダンパ２０３と、第二ヒータ２０４と、第二ルーバ２０６と、第一制御部１５０とに接続されている。この第二制御部２５０は、操作部８からの信号を受けると、第二ファン２０２と、第二ダンパ２０３と、第二ヒータ２０４と、第二ルーバ２０６の動作を制御することができる。
【００３４】
図３に示すように、浴室暖房機器１００は、浴室暖房機器筐体１３０を備え、第一内部流路１１０と、浴室温度センサ１０７と、第一ファン１０２と、第一ヒータ１０４と、は、浴室暖房機器筐体１３０の内部に設けられている。また、図示は省略するが、第一ダンパ１０３及び第一排出流路１２０も浴室暖房機器筐体１３０の内部に設けられている。
【００３５】
図４に示すように、洗面所暖房機器２００は、洗面所暖房機器筐体２３０を備え、第二内部流路２１０と、洗面所温度センサ２０７と、第二ファン２０２と、第二ヒータ２０４と、は、洗面所暖房機器筐体２３０の内部に設けられている。また、図示は省略するが、第二ダンパ２０３及び第二排出流路２２０とも洗面所暖房機器筐体２３０の内部に設けられている。
【００３６】
次に、図５を参照して、第一制御部１５０及び第二制御部２５０の構成について説明する。
【００３７】
図５は、本発明の一実施形態に係る２室暖房システムの制御部の要部構成を表すブロック図である。
【００３８】
図５に示すように、第一制御部１５０は、浴室通信制御部１５１と、第一温度調整部１５２と、第一熱源駆動部１５４と、既知情報記憶部１５５と、運転データ記憶部１５６と、を有している。一方で、第二制御部２５０は、洗面所通信制御部２５１と、第二温度調整部２５２と、と、第二熱源駆動部２５４と、を有している。
【００３９】
浴室通信制御部１５１及び洗面所通信制御部２５１は、操作部８からの信号を受け取ると、浴室暖房運転機器１００及び洗面所暖房機器２００によって浴室及び洗面所の２室を暖める２室暖房運転を行う。このとき、操作部８から浴室通信制御部１５１及び洗面所通信制御部２５１に共通の信号が入力されて、２室暖房運転が開始される
なお、本実施形態における２室暖房システム１は、操作部８の操作に応じて、浴室２または洗面所３の一方の部屋のみを暖める暖房運転や、浴室２または洗面所３を換気する換気運転、ヒータを出力しながら換気する乾燥運転等を実行することができる。
【００４０】
浴室通信制御部１５１は、操作部８からの運転指令や浴室温度センサ１０７からの温度情報を受け取ると、受け取った情報を第一温度調整部１５２に送る。また、浴室通信制御部１５１は、操作部８からの運転指令や浴室温度センサ１０７からの温度情報を受け取ると、受け取った情報を第二制御部２５０の洗面所通信制御部２５１へ送る。
【００４１】
洗面所通信制御部２５１は、操作部８からの運転指令や洗面所温度センサ２０７からの温度情報を受け取ると、受け取った情報を第二温度調整部２５２に送る。また、洗面所通信制御部２５１は、操作部８からの運転指令や、洗面所温度センサ２０７からの温度情報を受け取ると、受け取った情報を第一制御部１５０の浴室通信制御部１５１へ送る。
つまり、第一制御部１５０と第二制御部２５０は、浴室通信制御部１５１と洗面所通信制御部２５１とによって、互いの情報を通信している。
【００４２】
第一温度調整部１５２は、浴室通信制御部１５１及び第二制御部２５０の洗面所通信制御部２５１から送られてくる情報や、浴室温度センサ１０７からの情報、既知情報記憶部１５５や運転データ記憶部１５６から送られてくる情報に基づいて、第一熱源駆動部１５４に指令信号を出力する。
なお、第二制御部２５０の洗面所通信制御部２５１から第一温度調整部１５２に送られる情報は、洗面所温度センサ２０７で検出された温度情報を含む。
【００４３】
また、第二温度調整部２５２は、洗面所通信制御部２５１及びや第一制御部１５０の浴室通信制御部１５１から送られてくる情報や、洗面所温度センサ２０７からの情報に基づいて、第二熱源駆動部２５４に指令信号を出力する。
なお、第一制御部１５０の浴室通信制御部１５１から第二温度調整部２５２に送られる情報は、浴室温度センサ１０７で検出された温度情報、既知情報記憶部１５５や運転データ記憶部１５６に記憶された情報を含む。
【００４４】
第一熱源駆動部１５４と第二熱源駆動部２５４は、第一温度調整部１５２または第二温度調整部２５２からの指令に基づき、それぞれ第一ヒータ１０４と第二ヒータ２０４の出力を制御する。
なお、第一熱源駆動部１５４と第二熱源駆動部２５４は、第一ヒータと第二ヒータ２０４の出力の制御のみでなく、第一温度調整部１５２または第二温度調整部２５２からの指令に基づき、それぞれ第一ファン１０２と第二ファン２０２の回転数を制御してもよい。
【００４５】
既知情報記憶部１５５は、浴室暖房機器１００及び洗面所暖房機器２００の情報を、あらかじめ記憶することができる。具体的には、浴室暖房機器１００及び洗面所暖房機器２００の暖房能力の情報（例えば、第一ヒータ及び第二ヒータの出力情報、第一ファン及び第二ファンの回転数の情報、浴室暖房機器または洗面所暖房機器が設置される部屋の広さ等）を記憶することができる。既知情報記憶部１５５に記憶された情報は、第一温度調整部１５２に送られる。
なお、既知情報記憶部１５５への情報の記憶は、浴室や洗面所に施工する前もしくは後に行われてもよい。その際は、操作部８から情報が入力されてもよい。
【００４６】
運転データ記憶部１５６は、浴室暖房機器１００及び洗面所暖房機器２００の運転データの情報を記憶することができる。具体的には、電源投入時からの運転回数の情報、前回の暖房運転時の温度推移のデータ、所定回数の暖房運転時の温度推移のデータ等を記憶することができる。運転データ記憶部１５６に記憶された情報は、第一温度調整部１５２に送られる。
【００４７】
次に、図６〜図１０を参照して、本発明の一実施形態に係る２室暖房システムの動作及び作用について説明する。
【００４８】
図６は、本発明の一実施形態に係る２室暖房システムの第一の動作を表すフローチャートである。図７は、本発明の一実施形態に係る２室暖房システムの第一の動作を行ったときの浴室及び洗面所の温度推移の一例を示すグラフである。図８は、本発明の一実施形態に係る２室暖房システムの第二の動作を表すフローチャートである。図９は、本発明の一実施形態に係る２室暖房システムの第二の動作を行ったときの浴室及び洗面所の温度推移の一例を示すグラフである。図１０は、本発明の一実施形態に係る２室暖房システムの第三の動作を表すフローチャートである。
なお、図７及び図９は、浴室暖房機器１００よりも洗面所暖房機器２００の方が暖房能力が高いと判定された場合における、浴室及び洗面所の温度推移の一例を示すグラフである。
【００４９】
本実施形態においては、２室暖房システムは後述する第一の動作〜第三の動作のいずれか一つの動作を選択的に行うことができる。
【００５０】
はじめに、２室暖房システムの第一の動作を、図６及び図７を用いて説明する。
図６に示すように、使用者による操作部８の操作や、タイマーによって設定された時間になる等によって、浴室及び洗面所の２室暖房が開始される（ステップＳ１００）と、浴室暖房機器１００の第一ヒータ１０４と、洗面所暖房機器２００の第二ヒータ２０４が駆動される（ステップＳ１０１）。
【００５１】
浴室暖房機器１００の第一ヒータ１０４と、洗面所暖房機器２００の第二ヒータ２０４が駆動されてから所定時間までの間は、継続して第一ヒータ１０４と第二ヒータ２０４を駆動して浴室２及び洗面所３を暖房し続ける（ステップＳ１０２）。
【００５２】
浴室暖房機器１００の第一ヒータ１０４と、２室暖房運転が開始（洗面所暖房機器２００の第二ヒータ２０４が駆動）されてから所定時間経過すると、暖房能力判定を行う（ステップＳ１０３）。
具体的には、第一ヒータ１０４と第二ヒータ２０４が駆動されてから所定時間経過後に、第一温度調整部１５２によって浴室温度センサ１０７と洗面所温度センサ２０７の温度情報を比較する。言い換えると、第一ヒータ１０４と第二ヒータ２０４が駆動されてから所定時間経過までの区間における浴室２の温度上昇勾配と洗面所３の温度上昇勾配を比較する。そして、浴室温度センサ１０７と洗面所温度センサ２０７で検出された温度上昇勾配の高い（温度の上昇が早い）方に設けられた一方の機器（浴室暖房機器１００または洗面所暖房機器２００）を、暖房能力が高いと判定する。他方の機器（浴室暖房機器１００または洗面所暖房機器２００）を、暖房能力が低いと判定する。
【００５３】
つづいて、第一制御部１５０の第一温度調整部１５２において、暖房能力が低いと判定された機器が設けられている部屋の温度を、暖房能力が高いと判定された機器の目標の温度として設定する（ステップＳ１０４）。詳しくは、例えば、浴室暖房機器１００の暖房能力が洗面所暖房機器２００の暖房能力よりも低いと判定された場合、洗面所３の温度、つまり、洗面所温度センサ２０７で検出された温度を、浴室暖房機器１００の目標の温度として設定する。
なお、暖房能力の判定や、目標温度空間の設定は、第二温度調整部２５２によって行われてもよい。
【００５４】
ステップＳ１０４において、浴室２または洗面所３の一方の部屋の温度を、他方の部屋に設けられる浴室暖房機器１００または洗面所暖房機器２００の目標の温度とするように、目標温度空間が設定された後、第一制御部１５０の第一温度調整部１５２または第二制御部２５０の第二温度調整部２５２は、温度追従制御を行う（ステップＳ１０５）。
温度追従制御において、暖房能力が低いと判定された機器は、予め設定された目標温度に到達するように、通常の暖房運転を行う。暖房能力が高いと判定された機器は、他方の部屋の温度を目標温度として、暖房運転を行う。
例えば、洗面所暖房機器２００の暖房能力が浴室暖房機器１００の暖房能力よりも低いと判定された場合、洗面所暖房機器２００は通常の暖房運転を行うように、第二温度調整部２５２から第二熱源駆動部２５４に指令信号が送られる。一方で、浴室暖房機器１００は、洗面所３の温度に追従するように暖房運転を行う。具体的には、洗面所温度センサ２０７で検出された温度情報を、第二制御部２５０を介して第一温度調整部１５２にて受け取る。そして、洗面所３の温度、つまり、洗面所温度センサ２０７で検出された温度を目標として追従するように、第一温度調整部１５２から第一熱源駆動部１５４へ指令信号が送られ、第一ヒータ１０４の出力が制御される。
反対に、例えば、浴室暖房機器１００の暖房能力が洗面所暖房機器２００の暖房能力よりも低いと判定された場合、浴室暖房機器１００は通常の暖房運転を行うように、第一温度調整部１５２から第一熱源駆動部１５４に指令信号が送られる。一方で、洗面所暖房機器２００は、浴室２の温度に追従するように暖房運転を行う。具体的には、浴室温度センサ１０７で検出された温度情報を、第一制御部１５０を介して第二温度調整部２５２にて受け取る。そして、浴室２の温度、つまり、浴室温度センサ２０７で検出された温度を目標として追従するように、第二温度調整部２５２から第二熱源駆動部２５４へ指令信号が送られ、第二ヒータ２０４の出力が制御される。
なお、通常の暖房運転や温度追従制御時の暖房運転において、各部屋の温度をコントロールする方法として、第一ヒータ１０４や第二ヒータ２０４の出力を制御するだけでなく、第一ファン１０２や第二ファン２０２を制御して風量を増加させるようにしてもよい。
【００５５】
このように、第一制御部１５０または第二制御部２５０は、浴室２または洗面所３の一方の部屋の温度に基づいて、他方の部屋に設けられる浴室暖房機器１００または洗面所暖房機器２００を制御する。つまり、一方の部屋に設けられた機器が、他方の部屋の温度を監視しながら制御するので、暖房運転開始から目標温度に到達するまでに浴室２と洗面所３の温度差が発生してしまうことを抑制できる。そのため、ヒートショックを抑制しつつ、快適性をより向上させることができる。
【００５６】
また、第一制御部１５０または第二制御部２５０は、浴室２または洗面所３の一方の部屋の温度を、他方の部屋に設けられる機器（浴室暖房機器１００または洗面所暖房機器２００）の目標温度として、浴室暖房機器１００または洗面所暖房機器２００を制御する。そのため、暖房運転開始から、目標温度に到達するまでに浴室２と洗面所３に温度差が発生してしまうことをより確実に抑制できる。
【００５７】
さらに、第一制御部１５０または第二制御部２５０は、第一制御部１５０の第一温度調整部１５２（または第二制御部２５０の第二温度調整部２５２）によって暖房能力が低いと判定された機器（浴室暖房機器１００または洗面所暖房機器２００）が設けられた一方の部屋の温度を目標温度として、他方の部屋に設けられた機器を制御する。そのため、２室暖房運転開始から目標温度に到達するまでに浴室２と洗面所３の温度差が生じる時間をより短くすることができる。
仮に、暖房能力が高いと判定された機器が設けられた一方の部屋の温度を目標温度として、他方の部屋に設けられた機器を制御する場合、暖房能力が高い機器が設けられた部屋の温度上昇は比較的早いため、暖房能力が低い機器が設けられた他方の部屋の温度が、目標とする一方の部屋の温度に到達するまでに時間がかかってしまう。つまり、温度差が生じる状態が長く続いてしまう。
【００５８】
フローにもどって、暖房能力が高いと判定された機器が、予め設定された目標温度に到達するまで、温度追従制御を繰り返し行う（ステップＳ１０６）。
【００５９】
予め設定された目標温度に到達した後、使用者によって２室暖房運転が終了操作される、もしくは、予め設定された目標温度に到達してから所定時間が経過するまでは、浴室暖房機器１００及び洗面所暖房機器２００は、浴室２及び洗面所３の温度を維持するように、それぞれ暖房運転を行う（ステップＳ１０７）。
【００６０】
使用者によって２室暖房運転が終了操作される、もしくは、予め設定された目標温度に到達してから所定時間が経過すると、２室暖房の運転を終了する（ステップＳ１０８）。
なお、２室暖房の運転の終了まで、温度追従制御を行うように構成されていてもよい。
【００６１】
ここで、２室暖房システムの第一の動作の際の空間温度の推移について、図７を用いて説明する。
図７に示すように、２室暖房運転が開始されてから所定時間Ｔ１（暖房能力判定期間）の間は、浴室暖房機器１００及び洗面所暖房機器２００は、予め設定された設定温度に到達させるように、各々暖房運転を行う（図６のＳ１００〜Ｓ１０２）。この所定時間Ｔ１の運転における、浴室２及び洗面所３の温度上昇勾配の情報に基づいて、暖房能力が高い／低い機器を判定する（図６のＳ１０３）。具体的には、暖房能力判定期間Ｔ１における空間温度の温度推移の傾きが大きい空間に設けられている機器を、暖房能力が高いと判定し、傾きが小さい空間に設けられている機器を、暖房能力が低いと判定する。
【００６２】
ここで、第一制御部１５０（または第二制御部２５０）は、浴室暖房機器１００及び洗面所暖房機器２００の暖房運転開始から所定時間の運転における温度上昇勾配に基づいて浴室暖房機器１００及び洗面所暖房機器２００の暖房能力を判定するので、浴室暖房機器１００及び洗面所暖房機器２００が設置された状態における暖房能力を判定することができる。つまり、設置された現場ごとに暖房能力を判定することができるため、より正確に、浴室暖房機器１００及び洗面所暖房機器２００の暖房能力を判定することができる。
【００６３】
図７の例では、浴室２の温度推移の傾きよりも、洗面所３の温度推移の傾きが大きいため、洗面所暖房機器２００の暖房能力よりも浴室暖房機器１００の暖房能力が低いと判定する。
なお、暖房能力の判定は、暖房能力判定期間Ｔ１終了時点における、浴室２と洗面所３の温度の比較によって判定されてもよい。一方で、浴室２と洗面所３の初期の温度（暖房開始前の温度）に差異が生じている場合は、本実施形態のように、温度推移の傾きで暖房能力を判定することが好ましい。
【００６４】
そして、第一制御部１５０（または第二制御部２５０）によって、暖房能力が低いと判定された浴室暖房機器１００が設けられた浴室２の温度を、他方の洗面所３に設けられた洗面所暖房機器２００の目標温度として温度追従制御が行われる（図６のＳ１０４〜Ｓ１０６）。
【００６５】
なお、２室暖房運転が開始された際に、浴室２または洗面所３の何れか一方の温度が設定された目標温度に到達していた場合は、温度追従制御を行わずに、浴室暖房機器１００または洗面所暖房機器２００をそれぞれ独立して動作させるようにしてもよい。
【００６６】
次に、２室暖房システムの第二の動作を、図８及び図９を用いて説明する。
図８に示すように、使用者による操作部８の操作や、タイマーによって設定された時間になる等によって、浴室２及び洗面所３の２室暖房が開始される（ステップＳ２００）と、既知情報記憶部１５５から、第一温度調整部１５２へデータが出力される（ステップＳ２０１）。具体的には、予め既知情報記憶部１５５に記憶されている、浴室暖房機器１００及び洗面所暖房機器２００の暖房能力の情報を第一温度調整部１５２へ出力する。
【００６７】
つづいて、第一温度調整部１５２は、既知情報記憶部１５５から出力された、浴室暖房機器１００及び洗面所暖房機器２００の暖房能力の情報に基づいて、浴室暖房機器１００と洗面所暖房機器２００のどちらの暖房能力が高いか／低いかを判定する（ステップＳ２０２）。そして、第一制御部１５０の第一温度調整部１５２において、暖房能力が低いと判定された機器が設けられている部屋の温度を、暖房能力が高いと判定された機器の目標の温度として設定する（ステップＳ２０３）。このとき、第一温度調整部１５２にて判定された情報は、浴室通信制御部１５１及び洗面所通信制御部２５１を介して、第二温度調整部２５２へ送られる。
【００６８】
このように、第一制御部１５０の第一温度調整部１５２は、既知情報記憶部１５５の情報に基づいて浴室暖房機器１００及び洗面所暖房機器２００の暖房能力を判定するため、より早く暖房能力を判定し、２室暖房開始の初期から浴室２または洗面所３の一方の部屋の温度に基づいて、他方の部屋に設けられる浴室暖房機器１００または洗面所暖房機器２００を制御することができる。そのため、浴室２と洗面所３に温度差が発生してしまうことをより早期の段階から抑制することができる。
【００６９】
その後、第一温度調整部１５２及び第二温度調整部２５２は、第一熱源駆動部１５４及び第二熱源駆動部２５４に指令信号を送り、第一ヒータ１０４及び第二ヒータ２０４を駆動する（ステップＳ２０４）。そして、ステップＳ２０４において、浴室２または洗面所３の一方の部屋の温度を、他方の部屋に設けられる浴室暖房機器１００または洗面所暖房機器２００の目標の温度とするように、目標温度空間が設定された後、第一制御部１５０の第一温度調整部１５２または第二制御部２５０の第二温度調整部２５２は、温度追従制御を行う（ステップＳ２０５）。
なお、ステップＳ２０６〜ステップＳ２０８のフローは、第一の動作のステップＳ１０６〜ステップＳ１０８のフローと同様の動作であるため、説明は省略する。
【００７０】
ここで、２室暖房システムの第二の動作の際の空間温度の推移について、図９を用いて説明する。
図９に示すように、２室暖房運転が開始されると同時に、第一温度調整部１５２は、既知情報記憶部１５５に記憶された既知情報（浴室暖房機器１００及び洗面所暖房機器２００の暖房能力の情報）に基づいて、浴室暖房機器１００及び洗面所暖房機器２００の暖房能力を判定する（図８のＳ２００〜Ｓ２０２）。（図９の例では、洗面所暖房機器２００の暖房能力よりも浴室暖房機器１００の暖房能力が低いと判定している。）
【００７１】
つづいて、第一制御部１５０（または第二制御部２５０）によって、暖房能力が低いと判定された浴室暖房機器１００が設けられた浴室の温度を、他方の洗面所に設けられた洗面所暖房機器２００の目標温度として設定する（図８のＳ２０３）。またこのとき、前述したように、第一温度調整部１５２にて判定された情報は、浴室通信制御部１５１及び洗面所通信制御部２５１を介して、第二温度調整部２５２へ送られる。
【００７２】
そして、第一温度調整部１５２及び第二温度調整部２５２によって、第一ヒータ１０４及び第二ヒータ２０４が駆動されて、温度追従制御を行う。（図８のＳ２０５〜Ｓ２０６）。
【００７３】
次に、２室暖房システムの第三の動作を、図１０を用いて説明する。
図１０に示すように、使用者による操作部８の操作や、タイマーによって設定された時間になる等によって、浴室２及び洗面所３の２室暖房が開始される（ステップＳ３００）と、第一制御部１５０または第二制御部２５０において、運転データ記憶部１５６に記憶された情報に基づいて、所定回数２室暖房運転を行ったかを判定する。第一制御部１５０または第二制御部２５０において、所定回数２室暖房運転を行ったと判定されると、運転データ記憶部１５６から第一温度調整部１５２へデータが出力される（ステップＳ３０２）。具体的には、運転データ記憶部１５６に記憶されている浴室暖房機器１００及び洗面所暖房機器２００の所定回数の暖房運転のデータを、運転データ記憶部１５６から第一温度調整部１５２へ出力する。
一方で、第一制御部１５０または第二制御部２５０において、所定回数２室暖房運転を行っていないと判定されると、前述した２室暖房システムの第一の動作、もしくは、第二の動作を行うように制御する（ステップＳ３０９）。
【００７４】
なお、ここでの運転回数は、２室暖房運転を行った回数に限られず、浴室暖房機器１００または洗面所暖房機器２００がそれぞれ独立して暖房運転された回数であってもよい。換言すると、例えば、浴室暖房機器１００及び洗面所暖房機器２００がそれぞれ独立して暖房運転された回数が所定回数を上回る場合に、ステップＳ３０２へ進むようにしてもよい。
【００７５】
つづいて、第一温度調整部１５２は、運転データ記憶部１５６から出力された、浴室暖房機器１００及び洗面所暖房機器２００の所定回数の暖房運転のデータに基づいて、浴室暖房機器１００と洗面所暖房機器２００のどちらの暖房能力が高いか／低いかを判定する（ステップＳ３０３）。そして、第一制御部１５０の第一温度調整部１５２において、暖房能力が低いと判定された機器が設けられている部屋の温度を、暖房能力が高いと判定された機器の目標の温度として設定する（ステップＳ３０４）。このとき、第一温度調整部１５２にて判定された情報は、浴室通信制御部１５１洗面所通信制御部２５１を介して、第二温度調整部２５２へ送られる。
【００７６】
このように、第一制御部１５０の第一温度調整部１５２は、運転データ記憶部１５６の情報に基づいて浴室暖房機器１００及び洗面所暖房機器２００の暖房能力を判定する、つまり、浴室暖房機器１００及び洗面所暖房機器２００の所定回数の暖房運転データに基づいて暖房能力を判定するため、より正確に、浴室暖房機器１００及び洗面所暖房機器２００の暖房能力を判定することができる。
【００７７】
なお、ステップＳ３０５〜ステップＳ３０８、ステップＳ３１０は、第二の動作のステップＳ２０４〜ステップＳ２０８のフローと同様の動作であるため、説明は省略する。
【００７８】
以上、本発明の実施形態について説明したが、本発明は上述した実施形態に限定されるものではない。
例えば、既知情報記憶部１５５及び運転データ記憶部１５６が第一制御部１５０に設けられている構成を説明したが、既知情報記憶部１５５または運転データ記憶部１５６の少なくとも一方が、第二制御部２５０に設けられていてもよい。その場合、既知情報記憶部１５５または運転データ記憶部１５６に記憶されている情報は、第二温度調整部２５２へ出力される。また、既知情報記憶部１５５及び運転データ記憶部１５６は操作部８に設けられていてもよい。
【００７９】
前述した各実施の形態が備える各要素は、技術的に可能な限りにおいて組み合わせることができ、これらを組み合わせたものも本発明の特徴を含む限り本発明の範囲に包含される。
【符号の説明】
【００８０】
１    ２室暖房システム
２    浴室
３    洗面所
４    浴室天井
５    洗面所天井
８    操作部
１００    浴室暖房機器
１０１    第一取込口
１０２    第一送風手段（第一ファン）
１０３    第一ダンパ
１０４    第一ヒータ
１０５    第一吹出口
１０６    第一ルーバ
１０７    浴室温度検出手段（浴室温度センサ）
１１０    第一内部流路
１２０    第一排出流路
１３０    浴室暖房機器筐体
１５０    第一制御部
１５１    浴室通信制御部
１５２    第一温度調整部
１５４    第一熱源駆動部
１５５    既知情報記憶部
１５６    運転データ記憶部
２００    洗面所暖房機器
２０１    第二取込口
２０２    第二送風手段（第二ファン）
２０３    第二ダンパ
２０４    第二ヒータ
２０５    第二吹出口
２０６    第二ルーバ
２０７    洗面所温度検出手段（洗面所温度センサ）
２１０    第二内部流路
２２０    第二排出流路
２３０    洗面所暖房機器筐体
２５０    第二制御部
２５１    洗面所通信制御部
２５２    第二温度調整部
２５４    第二熱源駆動部
Ｖ    分電盤
【図１】
2018169100.tif 000003
【図２】
2018169100.tif 000004
【図３】
2018169100.tif 000005
【図４】
2018169100.tif 000006
【図５】
2018169100.tif 000007
【図６】
2018169100.tif 000008
【図７】
2018169100.tif 000009
【図８】
2018169100.tif 000010
【図９】
2018169100.tif 000011
【図１０】
2018169100.tif 000012